(57)【要約】本願は壁掛け式エアコン室内機と当該壁掛け式エアコン室内機を含むエアコンを開示する。前記壁掛け式エアコン室内機は筐体、ベース及び風路部品を含む。前記筐体はフレームを含む。前記ベースは前記フレームの後側を閉じるように覆うことにより、下向きの開口を有する内チャンバーを形成する。前記風路部品はファン取付フレームを含み、前記ファン取付フレームは移動可能に前記ベースに取り付けられ、上下方向に沿って前記内チャンバーの開口から外へ移動でき、前記ファン取付フレームは前記フレームと取り外し可能に接続されていることにより、前記内チャンバーに収納される。本願の壁掛け式エアコン室内機の風路部品の脱着は非常に便利であり、使用者にとって風路部品に対して洗浄を行うのは簡単である。【選択図】図１
2021513045.tif 000002
【特許請求の範囲】
【請求項１】
フレームを含む筐体と、
前記フレームの後側を閉じるように覆うことにより、下向きの開口を有する内チャンバーを形成するベースと、
ファン取付フレームを含み、前記ファン取付フレームは移動可能に前記ベースに取り付けられ、上下方向に沿って前記内チャンバーの開口から外へ移動でき、前記ファン取付フレームは前記フレームと取り外し可能に接続されていることにより、前記内チャンバーに収納される風路部品と
を含む壁掛け式エアコン室内機。
【請求項２】
前記フレームは前記筐体の長さ方向に沿って延在するフレームクロスビームを含み、
前記ファン取付フレームは前記フレームクロスビームとねじ接続或いは係合接続されている
請求項１に記載の壁掛け式エアコン室内機。
【請求項３】
前記ファン取付フレームには挿入接続部が設置され、
前記ベースには前記挿入接続部が移動するスライド溝が設置されている
請求項１に記載の壁掛け式エアコン室内機。
【請求項４】
前記ベースはボトムプレート、及び前記ボトムプレートの両端から前へ延在する二つのサイドプレートを含み、
前記スライド溝は二つの前記サイドプレートに設置されている
請求項３に記載の壁掛け式エアコン室内機。
【請求項５】
前記ベースの前記スライド溝に近接する一端には位置制限溝が設置され、
前記位置制限溝内にはロッキング係合部が設置され、
前記挿入接続部には前記ロッキング係合部に適合するロッキング溝が設置されている
請求項４に記載の壁掛け式エアコン室内機。
【請求項６】
前記ファン取付フレームの両端にはそれぞれ二つの第一ねじ穴が設置され、
二つの前記サイドプレートにはそれぞれ二つの第二ねじ穴が設置され、
前記第二ねじ穴は前記第一ねじ穴と対応して設置され、
前記ファン取付フレームと前記ベースとは、ねじを前記第一ねじ穴と前記第二ねじ穴に挿入することで固定されている
請求項４に記載の壁掛け式エアコン室内機。
【請求項７】
前記スライド溝は前溝壁を有し、
前記前溝壁は上から下に向かって前へ傾いており、
前記前溝壁と上下方向との挟角をαとしたとき、０°≦α≦８９°である
請求項３に記載の壁掛け式エアコン室内機。
【請求項８】
前記風路部品は更に渦巻き形ケーシング組立品を含み、
前記渦巻き形ケーシング組立品は前記ファン取付フレームに設置されている
請求項１に記載の壁掛け式エアコン室内機。
【請求項９】
前記渦巻き形ケーシング組立品は渦巻き形ケーシングを含み、
前記渦巻き形ケーシングの前端には後ろへ延在する位置制限板が設置され、
前記位置制限板と前記渦巻き形ケーシングの外壁面とで囲んで第一配管溝を形成する
請求項８に記載の壁掛け式エアコン室内機。
【請求項１０】
前記壁掛け式エアコン室内機は更に前記ベースに取り付けられている壁掛け板を含み、
前記壁掛け板は前記位置制限板と取り外し可能に接続されている
請求項９に記載の壁掛け式エアコン室内機。
【請求項１１】
前記風路部品は更に前記ファン取付フレームに設置されているドレンパンを含む
請求項１に記載の壁掛け式エアコン室内機。
【請求項１２】
前記ベースには上下方向に沿って延在する第二配管溝が設置されている
請求項１に記載の壁掛け式エアコン室内機。
【請求項１３】
前記筐体は前記開口に設置されている送風パネルを含み、
前記送風パネルは前記ファン取付フレーム及び／又は前記フレームと取り外し可能に接続されている
請求項１に記載の壁掛け式エアコン室内機。
【請求項１４】
前記フレームは対向して設置されている二つのフレームサイドプレートを含み、
二つの前記フレームサイドプレートは前記ベースの長さ方向における両端に設置され、
二つの前記フレームサイドプレートの下端縁には二つの折り返し縁部がそれぞれ相手側に向かって延在しており、
前記送風パネルの両端は二つの前記折り返し縁部と係合接続されている
請求項１３に記載の壁掛け式エアコン室内機。
【請求項１５】
前記送風パネルの両端にはそれぞれ二つの第一留め具が設置され、
前記折り返し縁部には前記第一留め具が挿入される第一係着溝が設置されている
請求項１４に記載の壁掛け式エアコン室内機。
【請求項１６】
前記送風パネルは前記ファン取付フレームと係合接続されている
請求項１３に記載の壁掛け式エアコン室内機。
【請求項１７】
前記送風パネルには第二留め具が設置され、
前記ファン取付フレームには前記第二留め具が挿入される第二係着溝が設置されている
請求項１６に記載の壁掛け式エアコン室内機。
【請求項１８】
前記壁掛け式エアコン室内機は前パネルを含み、前記前パネルは前記フレームと可動接続されている
請求項１３に記載の壁掛け式エアコン室内機。
【請求項１９】
前記前パネルの下端は前記送風パネルと取り外し可能に接続されている
請求項１８に記載の壁掛け式エアコン室内機。
【請求項２０】
壁掛け式エアコン室外機及び壁掛け式エアコン室内機を含むエアコンであって、
前記壁掛け式エアコン室内機は、
フレームを含む筐体と、
前記フレームの後側を閉じるように覆うことにより、下向きの開口を有する内チャンバーを形成するベースと、
ファン取付フレームを含み、前記ファン取付フレームは移動可能に前記ベースに取り付けられ、上下方向に沿って前記内チャンバーの開口から外へ移動でき、前記ファン取付フレームは前記フレームと取り外し可能に接続されていることにより、前記内チャンバーに収納される風路部品と
を含むエアコン。
【発明の詳細な説明】
【技術分野】
【０００１】
本願は中国専利局に２０１８年１２月２５日に提出された、出願番号２０１８２２１９４０４４．９、発明名称「壁掛け式エアコン室内機及びエアコン」である中国特許出願の優先権を主張し、その全ての内容を引用により本願に組み入れる。
本願はエアコンの技術分野に関し、特に壁掛け式エアコン室内機及びエアコンに関する。
【背景技術】
【０００２】
壁掛け式エアコン室内機はベース、フレーム、パネル、熱交換器及び風路部品等を含む。壁掛け式エアコン室内機が長期にわたって運転する過程において、風路部品上にはほこりが沈積しやすいため、定期的に洗浄する必要がある。伝統的な壁掛け式室内機について、風路部品の洗浄は極めて困難である。通常では、先にパネル、フレーム、熱交換器を全て取り外して、風路部品を露出させてからでないと、風路部品を取り外して洗浄することはできない。このため、伝統的な壁掛け式エアコン室内機の風路部品の脱着は非常に煩雑であり、使用者にとって風路部品の洗浄を不便にしてしまっている。
【発明の概要】
【発明が解決しようとする課題】
【０００３】
本願の主な目的は、従来の壁掛け式エアコン室内機の風路部品の脱着が不便という技術問題を解決するための壁掛け式エアコン室内機を提供することである。
【課題を解決するための手段】
【０００４】
上記目的を達成するために、本願は壁掛け式エアコン室内機を提案する。当該壁掛け式エアコン室内機は、フレームを含む筐体と、前記フレームの後側を閉じるように覆うことにより、下向きの開口を有する内チャンバーを形成するベースと、ファン取付フレームを含み、前記ファン取付フレームは移動可能に前記ベースに取り付けられ、上下方向に沿って前記内チャンバーの開口から外へ移動でき、前記ファン取付フレームは前記フレームと取り外し可能に接続されていることにより、前記内チャンバーに収納される風路部品を含む。
【０００５】
一実施例において、前記フレームは前記筐体の長さ方向に沿って延在するフレームクロスビームを含み、前記ファン取付フレームは前記フレームクロスビームとねじ接続或いは係合接続されている。
【０００６】
一実施例において、前記ファン取付フレームには挿入接続部が設置され、前記ベースには前記挿入接続部が移動するスライド溝が設置されている。
【０００７】
一実施例において、前記ベースはボトムプレート、及び前記ボトムプレートの両端から前へ延在する二つのサイドプレートを含み、前記スライド溝は二つの前記サイドプレートに設置されている。
【０００８】
一実施例において、前記ベースの前記スライド溝に近接する一端には位置制限溝が設置され、前記位置制限溝内にはロッキング係合部が設置され、前記挿入接続部には前記ロッキング係合部に適合するロッキング溝が設置されている。
【０００９】
一実施例において、前記ファン取付フレームの両端にはそれぞれ二つの第一ねじ穴が設置され、二つの前記サイドプレートにはそれぞれ二つの第二ねじ穴が設置され、前記第二ねじ穴は前記第一ねじ穴と対応して設置され、前記ファン取付フレームは前記ベースとはねじを前記第一ねじ穴と前記第二ねじ穴に挿入することで固定されている。
【００１０】
一実施例において、前記スライド溝は前溝壁を有し、前記前溝壁は上から下に向かって前へ傾いており、前記前溝壁と上下方向との挟角をαとしたとき、０°≦α≦８９°である。
【００１１】
一実施例において、前記風路部品は更に渦巻き形ケーシング組立品を含み、前記渦巻き形ケーシング組立品は前記ファン取付フレームに設置されている。
【００１２】
一実施例において、前記渦巻き形ケーシング組立品は渦巻き形ケーシングを含み、前記渦巻き形ケーシングの前端には後ろへ延在する位置制限板が設置され、前記位置制限板と前記渦巻き形ケーシングの外壁面とで囲んで第一配管溝を形成する。
【００１３】
一実施例において、前記壁掛け式エアコン室内機は更に前記ベースに取り付けられている壁掛け板を含み、前記壁掛け板は前記位置制限板と取り外し可能に接続されている。
【００１４】
一実施例において、前記風路部品は更に前記ファン取付フレームに設置されているドレンパンを含む。
【００１５】
一実施例において、前記ベースには上下方向に沿って延在する第二配管溝が設置されている。
【００１６】
一実施例において、前記筐体は前記開口に設置されている送風パネルを含み、前記送風パネルは前記ファン取付フレーム及び／又は前記フレームと取り外し可能に接続されている。
【００１７】
一実施例において、前記フレームは対向して設置されている二つのフレームサイドプレートを含み、二つの前記フレームサイドプレートは前記ベースの長さ方向における両端に設置され、二つの前記フレームサイドプレートの下端縁には二つの折り返し縁部がそれぞれ相手側に向かって延在しており、前記送風パネルの両端は二つの前記折り返し縁部と係合接続されている。
【００１８】
一実施例において、前記送風パネルの両端にはそれぞれ二つの第一留め具が設置され、前記折り返し縁部には前記第一留め具が挿入される第一係着溝が設置されている。
【００１９】
一実施例において、前記送風パネルは前記ファン取付フレームと係合接続されている。
【００２０】
一実施例において、前記送風パネルには第二留め具が設置され、前記ファン取付フレームには前記第二留め具が挿入される第二係着溝が設置されている。一実施例において、前記壁掛け式エアコン室内機は前パネルを含み、前記前パネルは前記フレームと可動接続されている。
【００２１】
一実施例において、前記前パネルの下端は前記送風パネルと取り外し可能に接続されている。
【００２２】
本願はさらにエアコンを提案する。当該エアコンは壁掛け式エアコン室外機及び壁掛け式エアコン室内機を含み、前記壁掛け式エアコン室内機は、フレームを含む筐体と、前記フレームの後側を閉じるように覆うことにより、下向きの開口を有する内チャンバーを形成するベースと、ファン取付フレームを含み、前記ファン取付フレームは移動可能に前記ベースに取り付けられ、上下方向に沿って前記内チャンバーの開口から外へ移動でき、前記ファン取付フレームは前記フレームと取り外し可能に接続されていることにより、前記内チャンバーに収納される風路部品とを含む。
【００２３】
本願の壁掛け式エアコン室内機の筐体はフレームを含み、風路部品に対して修理、交換或いは洗浄を行う必要がある時、ファン取付フレームを前記内チャンバーの開口から下へ引き出せる。従って、ファン部品（ファン、渦巻き形ケーシング組立品、ドレンパン等）の修理、交換或いは洗浄に大いなる利便性を提供し、アフターサービスの修理コストを下げる。これとともに、修理、交換或いは洗浄後の風路部品を前記開口から、前記ベースに沿って上向きに内チャンバー内に押し入れて、そして当該風路部品を前記フレームに接続でき、当該風路部品の取付安定性を向上できる。このため、本願の壁掛け式エアコン室内機では、脱着、洗浄、取付ともに簡単であり、しかも取付の信頼性は高く、ユーザ体験の快適度を大いに向上させる。
【図面の簡単な説明】
【００２４】
本願実施例及び従来技術の技術案をより明確に説明するため、以下では、実施例或いは従来技術の説明に必要とされる添付図面を簡単に紹介する。下記説明における添付図面が本願の一部の実施例に過ぎないことは明らかであって、当業者にとっては、創造的な労働を行わないことを前提に、これらの添付図面が示す構造により他の添付図面を得ることができる。
【図１】本願の壁掛け式エアコン室内機の分解構造模式図である。
【図２】図１におけるフレームの構造模式図である。
【図３】図２のＡにおける部分拡大図である。
【図４】図１における風路部品がベース、熱交換器と組み立てられた後の一角度から見た構造模式図である。
【図５】図４のＢにおける部分拡大図である。
【図６】図１における風路部品の一角度から見た構造模式図である。
【図７】図１における風路部品のもう一つの角度から見た構造模式図である。
【図８】図１における風路部品のさらに別の角度から見た構造模式図である。
【図９】図１における風路部品がベース、熱交換器と組み立てられた後のもう一つの角度から見た構造模式図である。
【図１０】図９のＣにおける部分拡大図である。
【図１１】図１におけるベースの構造模式図である。
【図１２】図１１のＤにおける部分拡大図である。
【図１３】図１における風路部品と壁掛け板の組立詳細図である。
【図１４】図１における送風パネルの構造模式図である。
【図１５】本願の壁掛け式エアコン室内機の一実施例の脱着模式図である。
【図１６】本願の壁掛け式エアコン室内機のもう一つの実施例の脱着模式図である。
【００２５】
添付図面を参照して、実施例と組み合わせて本願目的の実現、機能的特徴及び長所をさらに説明する。
【発明を実施するための形態】
【００２６】
以下では、本願実施例における添付図面と組み合わせ、本願実施例における技術案を明確且つ完全に説明する。説明される実施例は本願の全ての実施例ではなく、本願の一部の実施例に過ぎないことは明らかである。本願における実施例に基づいて、当業者が創造的な労働を行わないことを前提に得られた全ての他の実施例は、本願の保護する範囲に属す。
【００２７】
もし本願実施例で方向性指示（例えば上、下、左、右、前、後．．．）に関わる場合、当該方向性指示はある特定の姿勢（添付図面に示す）における各部品間の相対的位置関係、運動状況等を説明するためだけに用いられ、もし当該特定の姿勢が変わる場合、当該方向性指示もそれ相応に変わることは説明すべきである。
【００２８】
また、本願実施例において「第一」、「第二」等の説明に関わる場合、当該「第一」、「第二」等の説明は、説明のために利用されるだけであって、その相対的重要性を提示又は暗示する、或いは提示される技術的特徴の数を暗示的に指定するように理解すべきではない。これにより、「第一」、「第二」に限定されている特徴は明示的或いは暗示的に少なくとも一つの当該特徴を含んでもよい。また、全文において現れた「及び／又は」は三つの並行する案を含むことを意味する。「Ａ及び／又は」を例に取ると、Ａ案、或いはＢ案、或いはＡとＢとが同時に満たされる案を含むことになる。
【００２９】
また、各実施例の技術案はお互いに組み合わせることができる。ただし、当業者が実現できることがその前提となる。技術案の組み合わせに矛盾が生じるか、実現できない場合には、このような技術案の組み合わせが存在しない、且つ本願が請求する保護範囲にないと理解すべきである。
【００３０】
本願では壁掛け式エアコン室内機を提案する。
【００３１】
図１から図３に示すように、本願は壁掛け式エアコン室内機１００を提案する。当該壁掛け式エアコン室内機１００は筐体１０、ベース２０及び風路部品３０を含む。前記筐体１０の頂部には吸気口が設けられ、前記吸気口には吸気グリッドが設けられており、前記筐体１０の前方下側には送風口が設けられている。前記筐体１０はフレーム１１を含む。前記ベース２０は前記フレーム１１の後側を閉じるように覆うことにより、下向きの開口を有する内チャンバー１１３を形成する。前記風路部品３０は前記内チャンバー１１３の中に位置し、前記風路部品３０はファン取付フレーム３１（図６に示す）を含み、前記ファン取付フレーム３１は前記ベース２０に移動可能に取り付けられ、上下方向に沿って前記内チャンバー１１３の開口から外に移動でき、前記ファン取付フレーム３１は前記フレーム１１と取り外し可能に接続されることで、前記内チャンバー１１３の中に収納される。
【００３２】
本願の実施例では、前記ファン取付フレーム３１は前記ベース２０に沿って移動できる。具体的に言うと、前記ベース２０には前記ファン取付フレーム３１が移動する案内構造、例えばスライド溝或いはスライドレール等を設置できる。勿論、前記ベース２０には案内構造を設置しなくてもよい。これにより前記ファン取付フレーム３１は前記ベース２０の壁面に沿って移動できる。ベース２０の構造については、後で詳細に説明する。前記ファン取付フレーム３１は主にファンを取り付けるのに使われる。図７を参照すると、本願の実施例では、前記風路部品３０は貫流ファン３２を含み、前記貫流ファン３２は前記ファン取付フレーム３１に取り付けられている。前記ファン取付フレーム３１を前記開口から下へ引き出す時、前記貫流ファン３２を取り出せる。これにより、使用者或いはアフターサービススタッフの貫流ファン３２に対する修理、交換或いは洗浄を便利にする。前記風路部品３０は更にモータ３６を含み、前記モータ３６は前記ファン取付フレーム３１に取り付けられ、且つ前記貫流ファン３２の一端に位置することにより、前記貫流ファン３２の回動を駆動する。
【００３３】
その他に、図６と図７を参照すると、前記風路部品３０は更に渦巻き形ケーシング組立品３３を含み、前記渦巻き形ケーシング組立品３３は前記ファン取付フレーム３１に設置されている。具体的には、前記渦巻き形ケーシング組立品３３は渦巻き形ケーシング３３１と渦巻き形舌部（図示しない）を含み、前記渦巻き形ケーシング３３１と前記渦巻き形舌部とで囲んで前記貫流ファン３２を取り付けるための貫流風路を形成する。前記渦巻き形ケーシング組立品３３は前記ファン取付フレーム３１と一体成形により設置されてもいいが、勿論、前記渦巻き形ケーシング組立品３３は前記ファン取付フレーム３１とは別体で設置されてもよく（例えば取り外し可能な接続）、ここでは具体的な限定はしない。更に、図８を参照すると、前記風路部品３０は更に前記ファン取付フレーム３１に設置されているドレンパン３５を含む。同様に、前記ファン取付フレーム３１と一体成形により設置されてもよいが、勿論、前記ドレンパン３５は前記ファン取付フレーム３１とは別体で設置されてもよい。具体的には、前記ドレンパン３５は前ドレン溝と後ドレン溝を含む。本願の実施例において、前記壁掛け式エアコン室内機１００は更に前記ベース２０に取り付けられている熱交換器５０（図５に示す）を含む。具体的に、前記熱交換器５０と前記ベース２０とは、ねじ接続或いは係着接続等である。前記熱交換器５０は複数回曲がった熱交換器５０であり、且つ前記貫流ファン３２に対応するように設置されている。前記ドレンパン３５は前記熱交換器５０の凝縮水を受けるために、前記熱交換器５０の下に位置する。
【００３４】
本願の壁掛け式エアコン室内機１００の筐体１０は、開口が下を向いている内チャンバー１１３を有するフレーム１１と、前記内チャンバー１１３に取り付けられているベース２０と、ファン取付フレーム３１を含む風路部品３０であって、前記ファン取付フレーム３１は上下方向において前記開口から移動可能に前記ベース２０に取り付けられ、前記ファン取付フレーム３１は前記フレーム１１と取り外し可能に接続されている前記風路部品３０とを含む。こうして、風路部品３０に対して修理、交換或いは洗浄を行う必要がある時、ファン取付フレーム３１を前記内チャンバー１１３の開口から下へ引き出せる。従って、ファン部品（ファン、渦巻き形ケーシング組立品３３、ドレンパン３５等）の修理、交換或いは洗浄に大いなる利便性を提供し、アフターサービスの修理コストを下げる。これとともに、修理、交換或いは洗浄後の風路部品３０を前記開口から、前記ベース２０に沿って上向きに内チャンバー１１３内に押し入れて、そして当該風路部品３０を前記フレーム１１に接続でき、当該風路部品３０の取付安定性を向上できる。このため、本願の壁掛け式エアコン室内機１００では、脱着、洗浄、取付ともに簡単であり、しかも取付の信頼性は高く、ユーザ体験の快適度を大いに向上させる。
【００３５】
図６から図１２を参照すると、一実施例では、ファン取付フレーム３１の脱着をより便利にするために、前記ファン取付フレーム３１上には挿入接続部３１１が設置され、前記ベース２０上には前記挿入接続部３１１が移動するスライド溝２２１が設置されている。
【００３６】
具体的には、図１１と図１２を参照すると、前記ベース２０はボトムプレート２１、及び前記ボトムプレート２１の両端から前へ延在する二つのサイドプレート２２を含み、前記スライド溝２２１は二つの前記サイドプレート２２上に設置されている。前記スライド溝２２１の形成方法は複数ある。例えば、前記スライド溝２２１は前記サイドプレート２２が凹んで設置されることで形成される。また例えば、一つの前記サイドプレート２２からもう一つの前記サイドプレート２２に向かって位置制限部が延在しており、前記スライド溝２２１は前記位置制限部と、前記サイドプレート２２及び前記ボトムプレート２１とで囲むことで形成されている。前記ファン取付フレーム３１の両端には、それぞれが前記スライド溝２２１に対応する二つの挿入接続部３１１が設置されている（図６と図７に示す）。こうして、ファン取付フレーム３１上の挿入接続部３１１はスライド可能に前記スライド溝２２１内に取り付けられることで、一方ではファン取付フレーム３１の脱着がより便利になり、他方ではファン取付フレーム３１が予め設定した軌跡に沿って移動することを保証でき、ファン取付フレーム３１を所定位置に取り付けることを確実に保証できる。これによりファン取付フレーム３１の取付の信頼性を向上する。
【００３７】
ファン取付フレーム３１が落ちることを防止するために、前記ファン取付フレーム３１を前記ベース上にロックして固定できる。例えば、図９から図１２を参照すると、前記ベース２１の前記スライド溝２２１に近接する一端には位置制限溝２２３が設置され、前記位置制限溝２２３内にはロッキング係合部２２４が設置されている。前記挿入接続部３１１上には前記ロッキング係合部２２４に適合するロッキング溝３１２が設置されている（図６に示す）。こうして、前記ファン取付フレーム３１を取り付ける時、前記挿入接続部３１１の上端は前記位置制限溝２２３内に係合され、しかも前記ロッキング係合部２２４は前記ロッキング溝３１２内に係合される（図１０に示す）。これにより、前記ファン取付フレーム３１と前記ベース２０をロックして固定できる。ファン取付フレーム３１を取り外す必要がある時、当該ファン取付フレーム３１に下に向かう引っ張る力を加えることで、当該ファン取付フレーム３１をベース２０から取り外せる。
【００３８】
更に、ファン取付フレーム３１が落ちることを防止するために、前記ファン取付フレーム３１を前記ベース２０とねじ接続できる。具体的には、前記ファン取付フレーム３１の両端にはそれぞれ二つの第一ねじ穴３１３（図６に示す）が設置され、二つの前記サイドプレート２２上にはそれぞれ二つの第二ねじ穴２２６（図１２に示す）が設置されている。前記第二ねじ穴２２６は前記第一ねじ穴３１３と対応して設置され、前記ファン取付フレーム３１と前記ベース２０とは、ねじを前記第一ねじ穴３１３と前記第二ねじ穴２２６に挿入することで固定されている。
【００３９】
当該実施例において、前記スライド溝２２１は挿入接続部３１１のスライド軌跡、即ちファン取付フレーム３１の取り外し軌跡を限定する。ファン取付フレーム３１を取り外す時、熱交換器５０の導入出管組立品５１に対して引っ掛けたり擦ったりすることを防ぐために、前記スライド軌跡を後側上方から前側下方に向かって傾けて設置できる。具体的には、図１２を参照すると、前記スライド溝２２１は前溝壁２２２（即ち上述の位置制限部）を有し、前記前溝壁２２２は上から下に向かって前へ傾いており、前記前溝壁２２２と上下方向との挟角をαとしたとき、０°≦α≦８９°である。
【００４０】
図９を参照すると、熱交換器５０が導入出管組立品５１を有することを考えると、前記導入出管組立品５１は第一管部５２と第二管部５３を含み、前記第一管部５２は前記熱交換器５０の長さ方向（左右方向）に沿って延在して、前記第二管部５３は上下方向に沿って延在している。前記風路部品３０を取り外す過程において前記導入出管組立品５１に対して引っ掛けたり擦ったりするのを避けるために、前記渦巻き形ケーシング３３１の前端に後ろへ延在する位置制限板３４を設置してもよい。前記位置制限板３４と前記渦巻き形ケーシング３３１の外壁面とで囲んで、前記第一管部５２を収容するための第一配管溝３４１を形成する（図７に示す）。その他に、前記ベース２０には上下方向に沿って延在して第二配管溝２２５を収容するための第二配管溝２２５が設置されている（図１１に示す）
更に、図１３を参照すると、当該実施例において、前記壁掛け式エアコン室内機１００は更に前記ベース２０上に取り付けられている壁掛け板４０を含み、前記壁掛け板４０は前記位置制限板３４と取り外し可能に接続されている。前記壁掛け板４０と前記位置制限板３４との取り外し可能な接続方法は複数あり、ここでは特別に限定しない。例えば、前記壁掛け板４０と前記位置制限板３４は留め具構造により接続され、当該留め具構造は係着溝と留め具を含み、前記係着溝と前記留め具の一方は前記位置制限板３４上に設置され、他方は前記壁掛け板４０上に設置されている。
【００４１】
前記ファン取付フレーム３１と前記フレーム１１との取り外し可能な接続の方法も複数ある。例えば、前記ファン取付フレーム３１と前記フレーム１１とは係合接続、磁気吸着接続或いはねじ接続等である。図２から図５を参照すると、前記フレーム１１は前記筐体１０の長さ方向に沿って延在するフレームクロスビーム１１１を含み、前記ファン取付フレーム３１は前記フレームクロスビーム１１１とねじ接続或いは係合接続されている。具体的に、前記フレームクロスビーム１１１には第三ねじ穴１１１１が設置され、前記ファン取付フレーム３１には第四ねじ穴３１４が設置され、前記フレームクロスビーム１１１と前記ファン取付フレーム３１とは、前記第三ねじ穴１１１１および前記第四ねじ穴３１４に穿設されるねじによって固定接続されている。前記第三ねじ穴１１１１は複数あり、且つ複数の前記第三ねじ穴１１１１は前記フレームクロスビーム１１１の長さ方向に沿って間隔を空けて分布され、前記第四ねじ穴３１４の数は前記第一ねじ穴１１１１の数と一対一で対応している。ここで、前記フレーム１１の長さ方向とは左右方向である。
【００４２】
図１４を参照すると、上記各実施例に基づいて、前記筐体１０は送風パネル１２を含み、前記送風口は前記送風パネル１２上に設置されている。前記送風パネル１２は前記開口に設置され、前記送風パネル１２は前記ファン取付フレーム３１及び／又は前記フレーム１１と取り外し可能に接続されている。
【００４３】
一実施例において、前記送風パネル１２と前記フレーム１１とは取り外し可能に接続されている。こうすることで、前記ファン取付フレーム３１を取り外す必要がある時、まずは前記送風パネル１２を前記フレーム１１から取り外して、そして前記ファン取付フレーム３１を前記開口から下へ引き出す。
【００４４】
前記送風パネル１２と前記フレーム１１との取り外し可能な接続方法は複数あり、例えば、前記送風パネル１２と前記フレーム１１とは係合接続されている。図２と図３を参照すると、前記フレーム１１は対向して設置されている二つのフレームサイドプレート１１２を含み、二つの前記フレームサイドプレート１１２は前記ベース２０の長さ方向における両端に設置されている。二つの前記フレームサイドプレート１１２の下端縁には二つの折り返し縁部１１４がそれぞれ相手側に向かって延在している。前記送風パネル１２の両端は二つの前記折り返し縁部１１４と係合接続されている。具体的には、前記送風パネル１２の両端にはそれぞれ二つの第一留め具１２１が設置され、前記折り返し縁部１１４上には前記第一留め具１２１が挿入される第一係着溝１１５が設置されている。また、例えば、前記送風パネル１２は前記フレーム１１とねじ接続されている。具体的に、前記送風パネル１２と前記フレーム１１には対応するねじ穴が設置され、前記送風パネル１２と前記フレーム１１とは、ねじを両方のねじ穴に挿入することで固定接続されている。
【００４５】
もう一つの実施例において、前記送風パネル１２と前記ファン取付フレーム３１とは取り外し可能に接続されている。こうすると、前記ファン取付フレーム３１を取り外す必要がある時、まずは前記送風パネル１２と前記ファン取付フレーム３１を一体として前記開口から下へ引き出して、そして前記ファン取付フレーム３１を前記送風パネル１２と分離させる。具体的には、前記送風パネル１２は前記ファン取付フレーム３１と係合接続されている。好ましくは、図４、図５及び図１４を参照すると、前記送風パネル１２には第二留め具１２２が設置され、前記ファン取付フレーム３１には前記第二留め具１２２が挿入される第二係着溝３１５が設置されている。送風パネル１２と前記ファン取付フレーム３１との間の組立の信頼性を向上させるために、前記第二留め具１２２の数は複数でもよく、複数の前記第二留め具１２２は前記送風パネル１２の長さ方向（左右方向）に沿って間隔を空けて配置されている。
【００４６】
もう一つの実施例において、前記送風パネル１２と前記ファン取付フレーム３１とが取り外し可能に接続され、前記送風パネル１２と前記フレーム１１とが取り外し可能に接続されてもよいことは、理解できるであろう。こうすることで、前記ファン取付フレーム３１を取り外す必要がある時、まずは前記送風パネル１２を前記フレーム１１から取り外して、そして前記ファン取付フレーム３１を前記開口から下へ引き出す。前記送風パネル１２と前記ファン取付フレーム３１との取り外し可能な接続方法、及び前記送風パネル１２と前記フレーム１１との取り外し可能な接続方法については、改めて説明しない。
【００４７】
更に、図１５と図１６を参照すると、前記壁掛け式エアコン室内機１００は前パネル６０を含み、前記前パネル６０は前記フレーム１１と可動接続されている。前記前パネル６０と前記フレーム１１とは回動接続或いはスライド接続などでもよい。以下では、前記前パネル６０と前記フレーム１１とが回動可能に接続されている例をもって説明する。図面を参照すると、前記前パネル６０の上端は前記フレーム１１と回動可能に接続されている。
【００４８】
一実施例において、風路部品３０の取付信頼性と安定性を向上させると同時に、当該壁掛け式エアコン室内機１００の外観をより美しくするために、前記前パネル６０と前記送風パネル１２を取り外し可能な接続とすることができる。具体的には、図１５を参照すると、前記前パネル６０の下端は前記送風パネル１２と取り外し可能に接続されている。こうして、前記ファン取付フレーム３１を取り外す必要がある時、まずは前パネル６０を上へ回動させ、前パネル６０を前記送風パネル１２と分離させ、そして前記送風パネル１２を前記フレーム１１から取り外して、最後は前記ファン取付フレーム３１を前記開口から下へ引き出す。
【００４９】
勿論、もう一つの実施例において、前記前パネル６０は前記送風パネル１２とは何の接続関係も持たず、前記前パネル６０が前記送風パネル１２の取り外しを妨害しないようにしてもよい。具体的には、図１６を参照すると、前記前パネル６０の下端は前記送風パネル１２とつなぎ合わせられている。こうすることで、前記ファン取付フレーム３１を取り外す必要がある時、まず前記前パネル１２を上へ回動させる必要がなく、直接前記送風パネル１２を前記フレーム１１から取り外して、そして前記ファン取付フレーム３１を前記開口から下へ引き出すだけで済む。
【００５０】
本願は更に、壁掛け式エアコン室外機と壁掛け式エアコン室内機とを含むエアコンを提案した。当該壁掛け式エアコン室内機の具体的な構造については、前記実施例を参照されたい。本エアコン室内機は上記全ての実施の全ての技術案を採用したため、少なくとも上記実施例の技術案がもたらす全ての有益な効果を有し、ここでは逐一贅言しない。
【００５１】
以上に述べたことは本願の好ましい実施例に過ぎず、それによって本願の特許の範囲を制限するわけではない。本願の発明構想の下で、本願の明細書及び添付図面の内容を利用してなされた等価構造変換、或いは他の関連する技術分野への直接／間接的な応用は、何れも本願の特許の保護範囲に含まれる。
【符号の説明】
【００５２】
１００  壁掛け式エアコン室内機
１０  筐体
１１  フレーム
１１１  フレームクロスビーム
１１１１  第三ねじ穴
１１２  フレームサイドプレート
１１３  内チャンバー
１１４  折り返し縁部
１１５  第一係着溝
１２  送風パネル
１２１  第一留め具
１２２  第二留め具
２０  ベース
２１  ボトムプレート
２２  サイドプレート
２２１  スライド溝
２２２  前溝壁
２２３  位置制限溝
２２４  ロッキング係合部
２２５  第二配管溝
２２６  第二ねじ穴
３０  風路部品
３１  ファン取付フレーム
３１１  挿入接続部
３１２  ロッキング溝
３１３  第一ねじ穴
３１４  第四ねじ穴
３１５  第二係着溝
３２  貫流ファン
３３  渦巻形ケーシング組立品
３３１  渦巻形ケーシング
３４  位置制限板
３４１  第一配管溝
３５  ドレンパン
３６  モータ
４０  壁掛け板
５０  熱交換器
５１  導入出管組立品
５２  第一管部
５３  第二管部
６０  前パネル
【図１】
2021513045.tif 000003
【図２】
2021513045.tif 000004
【図３】
2021513045.tif 000005
【図４】
2021513045.tif 000006
【図５】
2021513045.tif 000007
【図６】
2021513045.tif 000008
【図７】
2021513045.tif 000009
【図８】
2021513045.tif 000010
【図９】
2021513045.tif 000011
【図１０】
2021513045.tif 000012
【図１１】
2021513045.tif 000013
【図１２】
2021513045.tif 000014
【図１３】
2021513045.tif 000015
【図１４】
2021513045.tif 000016
【図１５】
2021513045.tif 000017
【図１６】
2021513045.tif 000018
【国際調査報告】
2021513045.tif 000019
2021513045.tif 000020
2021513045.tif 000021
2021513045.tif 000022
2021513045.tif 000023
2021513045.tif 000024